(57)【要約】      （修正有）【課題】各種水槽類において槽内の水全体を効率的に浄化することができる抗菌器具を提供する。【解決手段】周面に複数の貫通孔２ａ、２ｂが穿設された剛性の容器１と、容器２の内部に収容され、抗菌性の物質が添加された複数のボール材とを備える。容器２は水よりも比重が重く形成され、各ボール材は水よりも比重が軽く形成されるとともに、容器２および各ボール材を合わせた全体の比重が水の比重とほぼ一致するように構成されている。【選択図】図１
0003157116.tif 000002
【実用新案登録請求の範囲】
【請求項１】
周面に複数の貫通孔が穿設された剛性の容器と、
該容器の内部に収容され、抗菌性の物質が添加された複数のボール材とを備え、
前記容器は水よりも比重が重く形成され、各ボール材は水よりも比重が軽く形成されるとともに、前記容器および各ボール材を合わせた全体の比重が水の比重とほぼ一致するように構成されていることを特徴とする抗菌器具。
【請求項２】
前記容器は球体状または略球体状に形成されている請求項１に記載の抗菌器具。
【請求項３】
前記容器は脱着可能に分割されている請求項１または請求項２に記載の抗菌器具。
【請求項４】
前記容器の貫通孔は、上端部および下端部から中央部の方向に延びる態様の細長い形状に形成されている請求項１から請求項３のいずれかに記載の抗菌器具。
【請求項５】
前記容器の貫通孔は、上端部および下端部側の幅狭の貫通孔と、中央部側の幅広の貫通孔との多段構成となされている請求項４に記載の抗菌器具。
【請求項６】
前記容器は直径が６０ｍｍ程の大きさに形成されている請求項１から請求項５のいずれかに記載の抗菌器具。  
【請求項７】
前記ボール部材は直径が１５ｍｍ程の大きさに形成されている請求項６に記載の抗菌器具。
【請求項８】
前記請求項１から請求項７のいずれかに記載の抗菌器具を複数収容する箱であって、側面にディスプレイ窓が抗菌器具の個数だけ所定間隔を空けて並んで設けられ、各ディプレイ窓から各抗菌器具の表面を見せるものとなされていることを特徴とする抗菌器具用箱。
【考案の詳細な説明】
【技術分野】
【０００１】
本考案は、浴槽、水洗槽、あるいはプール槽などの各種水槽類内に投入して、槽内の水の浄化に使用される抗菌器具に関する。
【背景技術】
【０００２】
従来より、浴槽、水洗槽、あるいはプール槽などの各種水槽類において、槽内の水を浄化することが注目されている。
【０００３】
槽内の水を浄化する一つの方法として、各種水槽類内に抗菌効果のある器具を投入する方法が知られている。この器具には種々工夫がなされたもの提案されており、その中でも特許文献１〜特許文献６に示す器具が知られている。
【０００４】
これらの器具は、周面に貫通孔が設けられた容器の内部に、抗菌効果のある複数のボール材を収容したものである。そして、器具の使用に際しては、器具を各種水槽類内に投入して、容器内のボール材の抗菌効果により槽内の水を浄化する。
【先行技術文献】
【特許文献】
【０００５】
【特許文献１】特開２００５−０１３９７４号公報
【特許文献２】特開平１０−２９６２７２号公報
【特許文献３】実登３１２２５６２号公報
【特許文献４】実登３０６９４３２号公報
【特許文献５】実登３０６１５１３号公報
【特許文献６】実登３０５０９７７号公報
【考案の概要】
【考案が解決しようとする課題】
【０００６】
しかしながら、これらの器具は、いずれも各種水槽類内の水中に投入すると、槽内の水上に浮かんだままの状態になるか、あるいは器具の重量により槽底部まで確実に沈んだ状態になるものであった。
【０００７】
このため、槽内の水上に浮かんだままの状態であると、槽内の水の上澄みしか浄化することができない。また、槽底部まで確実に沈んでほとんど動かない状態になると、器具の回り付近しか浄化することができない。したがって、これらの器具によっては槽内の水全体を効率的に浄化することが難しいという問題があった。
【０００８】
本考案は、上述の問題に鑑みてなされたものであって、各種水槽類において槽内の水全体を効率的に浄化することができる抗菌器具の提供を目的とする。
【課題を解決するための手段】
【０００９】
本考案は、上記目的を達成するために、周面に複数の貫通孔が穿設された剛性の容器と、該容器の内部に収容され、抗菌性の物質が添加された複数のボール材とを備え、前記容器は水よりも比重が重く形成され、各ボール材は水よりも比重が軽く形成されるとともに、前記容器および各ボール材を合わせた全体の比重が水の比重とほぼ一致するように構成されていることを特徴とする。
【００１０】
これによれば容器および各ボール材を合わせた全体の比重が水の比重とほぼ一致するように構成されているため、本器具を槽内の水中に投入した場合、投入による勢いによって槽底部まで沈んでいったあと、槽底部においてほぼ浮かんだ状態に配置される。このため槽底部と本器具との間の摩擦抵抗がほとんどなくなるため、槽内のわずかな水流により本器具が槽底部全体を転がりながら移動することができる。これによってボール材の抗菌効果を槽底部全体に行き渡らせることができるとともに、容器内のボール材が位置や角度を適宜変化することで水との接触部分を多くすることができ、槽内の水全体を効率的に浄化することが可能となる。
【００１１】
また、前記容器は球体状または略球体状に形成されているのが好ましい。これによれば本器具が槽底部全体をよりスムーズに転がりながら移動することができる。
【００１２】
また、前記容器は脱着可能に分割されているのが好ましい。これによれば容器内にボール材を容易に収容することができる。さらにボール材の抗菌効果が減少した場合、古いボール材を容器から取り出したあと、新しいボール材を容器に収容すれば新品時の抗菌効果を発揮することができる。
【００１３】
また、前記容器の貫通孔は、上端部および下端部から中央部の方向に延びる態様の細長い形状に形成されているのが好ましい。これによれば器具全体の剛性を保ちながら貫通孔を大きくとることができ、槽内の水が容器内にスムーズに流入および流出することができる。
【００１４】
また、前記容器の貫通孔は、上端部および下端部側の幅狭の貫通孔と、中央部側の幅広の貫通孔との多段構成となされているのが好ましい。これによれば器具全体の剛性を保ちながら貫通孔をより一層大きくとることができるとともに、本器具の上端部側および下端部側から見た場合の外観の意匠性が高くなる。
【００１５】
また、前記容器は直径が６０ｍｍ程の大きさに形成されているのが好ましい。これによれば本器具が手のひらサイズとなり取り扱い易くなる。
【００１６】
また、前記ボール部材は直径が１５ｍｍ程の大きさに形成されているのが好ましい。これによれば上記容器に概ね１５個前後収容されることになり、各ボール材が容器内に流入した水と万遍なく接触するため、槽内の水全体をより効率的に浄化することができる。
【００１７】
また、本考案に係る抗菌器具用箱は、側面にディスプレイ窓が抗菌器具の個数だけ所定間隔を空けて並んで設けられ、各ディプレイ窓から各抗菌器具の表面を見せるものとなされていることを特徴とする。これによれば本器具の外観の一部を見せながら意匠性の高いディスプレイが可能となる。
【考案の効果】
【００１８】
本考案によれば容器および各ボール材を合わせた全体の比重が水の比重とほぼ一致するように構成されているため、本器具を槽内の水中に投入した場合、投入による勢いによって槽底部まで沈んでいったあと、槽底部においてほぼ浮かんだ状態に配置される。このため槽底部と本器具との間の摩擦抵抗がほとんどなくなるため、槽内のわずかな水流により本器具が槽底部全体を転がりながら移動することができる。これによってボール材の抗菌効果を槽底部全体に行き渡らせることができるとともに、容器内のボール材が位置や角度を適宜変化することで水との接触部分を多くすることができ、槽内の水全体を効率的に浄化することが可能となる。
【図面の簡単な説明】
【００１９】
【図１】本考案の一実施形態に係る本器具の外観斜視図である。
【図２】本器具の上端部側から見た平面図である。
【図３】本器具の側方から見た断面図である。
【図４】本器具を分割した状態を示す斜視図である。
【図５】本器具を槽内に投入した状態を示す図である。
【図６】本器具を収容した箱の外観斜視図である。
【考案を実施するための形態】
【００２０】
次に本考案の一実施形態に係る抗菌器具（以下、本器具という）について図面を参照しつつ説明する。なお、本実施形態では、風呂の浴槽の水（湯も含む）の抗菌に使用した場合について説明する。
【００２１】
本器具１は、図１から図３に示すように、球体状のプラスチック製の容器２と、該容器２内に収容された複数のボール材３とから構成される。
【００２２】
前記容器２は、直径６０ｍｍ、肉厚２ｍｍの球体状に形成されている。このように容器２を球体状とすることにより後述するように本器具１が浴槽５の底部においてスムーズに転がることができる。また、直径６０ｍｍ程に形成することにより手のひらサイズとなり取り扱い易くなる。
【００２３】
また、前記容器２は、周面には複数の貫通孔２ａ、２ｂが穿設されている。この貫通孔２ａ、２ｂは上端部および下端部から中央部の方向に延びる態様の細長い長円形状に形成されている。そして、この貫通孔２ａ、２ｂは、本器具１を浴槽５内の水中に投入したときに浴槽５内の水がこれら貫通孔２ａ、２ｂを通じて容器２内に流入したり、容器２内から流出することになる。
【００２４】
特に本実施形態では、上端部および下端部側の第１貫通孔２aと、中央部側の第２貫通孔２ｂとの多段構成となされている。第１貫通孔２aは、それぞれ長さ１２ｍｍ、幅３ｍｍの長円状に形成され、上端部側に６個、下端部側に６個の個数で周方向に等間隔に並んで配置されている。また、第２貫通孔２ｂは、それぞれ長さ２０ｍｍ、幅４ｍｍの長円状に形成され、中央部の上側に２０個、中央部の下側に２０個の個数で周方向に等間隔に並んで配置されている。また、第１貫通孔２aと第２貫通孔２ｂは、その長さ方向の軸線が一致しないように互いにずれた状態で形成されている。
【００２５】
容器２の貫通孔２ａ、２ｂをこのような形状とすることにより、器具全体の剛性を保ちながら貫通孔２ａ、２ｂを大きくとることができ、浴槽５内の水が容器２内にスムーズに流入および流出することができる。しかも第１貫通孔２aと第２貫通孔２ｂとの多段構成とすることにより、その効果はより一層大きいものとなる。
【００２６】
また、前記容器２は、図４に示すように、半球状の上側容器２１と、同じく半球状の下側容器２２とに脱着可能な状態で２分割されるようになっている。下側容器２２は周縁部にリブ２２ａが形成され、該リブ２２ａ上には４個の周方向に延びる突起部２２ｂが等間隔に並んで形成されている。これにより上側容器２１を下側容器２２に嵌合すると、突起部により上側容器２１と下側容器２２とが適度に嵌着されることになる。一方、上側容器２１および下側容器２２をそれぞれ両手に持って、特に上側容器２１を掴んだまま離反方向に押し上げると、嵌着状態が解除されて上側容器２１と下側容器２２とを容易に分割することができる。
【００２７】
このように容器２を分割することにより、本器具１の製造段階において容器２内にボール材３を容易に収容することができる。また利用者においてもボール材３の抗菌効果が減少した場合、古いボール材３を容器２から取り出したあと、新しいボール材３を容器２に収容すれば新品時の抗菌効果を発揮することができる。
【００２８】
前記ボール材３は、直径１５ｍｍの球体状に形成されている。このようにボール材３を球体状とすることにより後述するように容器２内においてボール材３が適宜位置や角度を変えることができる。また、直径１５ｍｍとすることにより、上記容器２に概ね１５個前後収容されることになり、各ボール材３が容器２内に流入した水と万遍なく接触することができる。
【００２９】
このボール材３は、抗菌性の物質、例えば有機系複合剤「ＭＳ−１」が添加されている。これによると水中の雑菌（バクテリア）や真菌（カビ）が接触すると、ボール材３に添加されている有機系複合材「ＭＳ−１」の作用でこれらの菌類の細胞壁を破壊し（殺菌作用）、細胞の持つ機能のタンパク質、ＳＨ基等の合成や呼吸を阻害する（忌避作用）ことにより、菌類に対する阻止能力を発揮し死滅させることができる。この有機系複合材「ＭＳ−１」は、抗菌スペクトルが広い、効果が長時間持続する、安全性の高いものである。
【００３０】
そして、本考案では、前記容器２は水（水の比重は１ｇ／ｃｍ３）よりも比重が重く形成され、かつ各ボール材３は水よりも比重が軽く形成されるとともに、前記容器２および各ボール材３を合わせた全体の比重が水の比重とほぼ一致するように構成されている。
【００３１】
これについて具体的に説明すると、容器２は水よりも比重が重く形成されているため、それだけを浴槽５内の水中に投入すると、その重量により浴槽５の底部まで確実に沈んでほとんど動かない状態となる。そもそも、物体が水上に浮かぶのは浮力が生じるためであるが、その浮力は物体の容積に依存している。そして、前記容器２のように中空となっている場合、浴槽５内の水中に投入すると容器２内に水が流入して、容器２自体の容積がほとんどなくなることから浮力もほとんど生じない。したがって、プラスチック製や金属製の剛性のある容器２の場合、このように浮力がほとんど生じない中、容器２の重量の方が大きくなるため沈んでいくことになる。
【００３２】
一方、各ボール材３は水よりも比重が軽く形成されているため、浴槽５内の水中に投入すると、水上に浮かんだままの状態となる。ところで、ボール材３は、容器２と違って水が流入することがないため浮力が生じやすく、あとは重量を調整すれば浮かべることも沈めることも可能である。本考案ではボール材３の比重を水より軽くして浮かぶようにさせたのは、容器２の比重が水よりも重く水中に沈んでしまうこととバランスをとるためである。
【００３３】
そして、ボール材３の比重を調整したり、あるいはボール材３の個数を調整することによって、複数のボール材３と容器２の全体の比重を水の比重とほぼ一致させるように構成する。特にボール材３が複数個からなることからボール材３の個数を調整すれば簡単に全体の比重を調整することができる。
【００３４】
而して、本器具１の使用方法について説明すると、図５の矢印ａに示すように、各ボール材３が容器２内に収容された本器具１を浴槽５上方から水中に落とし込むようにして投入すると、その投入による勢いによって浴槽５底部まで沈んでいったあと、浴槽５底部に接するか接しない程度にほぼ浮かんだ状態に配置される。
【００３５】
このため浴槽５底部と本器具１との間の摩擦抵抗がほとんどなくなるため、図５の矢印ｂに示すように、浴槽５内のわずかな水流により本器具１が浴槽５の底部全体を転がりながら移動することができる。
【００３６】
これによってボール材３の抗菌効果を浴槽５の底部全体に行き渡らせることができる。しかも本器具１が転がる過程において、容器２内のボール材３が適宜位置や角度も変化することで水との接触部分を多くすることができ、浴槽５内の水全体を効率的に浄化することが可能となる。
【００３７】
なお、本器具１を浴槽５内に静かに投入するなどすると、本器具１は浴槽５の底部まで沈まずに、浴槽５内の水中（例えば真ん中）で浮かんだままの状態となる場合がある。この場合も浴槽５内のわずかな水流により本器具１が水中を浮遊するようにして移動し、浴槽５内の水全体を効率的に浄化することが可能となる。
【００３８】
図６は、本器具１を収容した箱４の斜視図である。
【００３９】
この箱４の側面にはディスプレイ４a窓が本器具１の個数（本実施形態では６個）だけ所定間隔を空けて並んで設けられ、各ディプレイ窓４aから各本器具１の表面を見せるものとなされている。これによれば本器具１の外観の一部を見せながら意匠性の高いディスプレイが可能となる。
【００４０】
なお、本考案では、容器２を球体状としたが、略球体状やその他の形状であってもよい。ただ、浴槽５底部でスムーズに転がすためには球体状や略球体状であるのが好ましい。
【００４１】
また、容器２に第１貫通孔２aおよび第２貫通孔２ｂを形成したが、形状、個数および位置についてはこれらに限定されるものではない。
【００４２】
また、その他、容器２およびボール材３の材質や大きさ、形状についても種々に設計変更可能である。要は、前記容器２および各ボール材３を合わせた全体の比重が水の比重とほぼ一致するように構成されていればよい。
【符号の説明】
【００４３】
１・・・本器具
２・・・容器
２ａ・・・第１貫通孔
２ｂ・・・第２貫通孔
２１・・・上側容器
２２・・・下側容器
２２ａ・・・リブ
２２ｂ・・・突起部
３・・・ボール材
４・・・箱
４ａ・・・ディスプレイ窓
５・・・浴槽
【図１】
0003157116.tif 000003
【図２】
0003157116.tif 000004
【図３】
0003157116.tif 000005
【図４】
0003157116.tif 000006
【図５】
0003157116.tif 000007
【図６】
0003157116.tif 000008